(57)【要約】【課題】空気中の臭気成分を確実に除去するとともに、空気の圧力損失の増大を抑制する。【解決手段】検出センサ（16）により室外の空気に含まれる臭気成分を検出する。臭気成分が検出された場合には、開閉ダンパ（19）を閉じて脱臭フィルタ（17）を使用状態とし、脱臭フィルタ（17）により空気中の臭気成分を除去する。臭気成分が検出されない場合には、開閉ダンパ（19）を開いて脱臭フィルタ（17）を非使用状態とする。【選択図】図４
2011002148.tif 000002
【特許請求の範囲】
【請求項１】
室外の空気を吸込通路（34）を介して室内へ供給するとともに、室内の空気を排気側通路（33）を介して室外へ排出する換気運転を行う換気装置であって、
室外の空気に含まれる臭気成分を検出する検出手段（16）と、
空気中の臭気成分を除去する脱臭フィルタ（17）と、
前記検出手段（16）の検出結果に基づいて、前記脱臭フィルタ（17）を、前記吸込通路（34）を流れる空気中の臭気成分を除去する使用状態と臭気成分を除去しない非使用状態とに切り換える切換手段（18）とを備えたことを特徴とする換気装置。
【請求項２】
請求項１において、
前記切換手段（18）は、前記吸込通路（34）を遮断又は開通させる開閉ダンパ（19）で構成され、
前記開閉ダンパ（19）の羽根部分は、前記脱臭フィルタ（17）で構成されていることを特徴とする換気装置。
【請求項３】
請求項１において、
前記吸込通路（34）に隣接されたフィルタ収容室（61）を備え、
前記切換手段（18）は、前記フィルタ収容室（61）内に配設された巻回ローラ（62）で構成され、
前記脱臭フィルタ（17）は、前記巻回ローラ（62）の外周面に巻き付け可能に構成され、
前記巻回ローラ（62）は、前記脱臭フィルタ（17）を、該巻回ローラ（62）の外周面への巻き付けが解除されて前記吸込通路（34）内に配置された使用状態と、該巻回ローラ（62）の外周面に巻き付けられて前記フィルタ収容室（61）内に収容された非使用状態とに切り換えるように構成されていることを特徴とする換気装置。
【請求項４】
請求項１において、
前記吸込通路（34）に隣接されたフィルタ収容室（61）を備え、
前記脱臭フィルタ（17）は、臭気成分を除去可能なフィルタ領域（17a）と、通過する空気の圧力損失を抑制可能な非フィルタ領域（17b）とを有する無端状のベルトで構成され、
前記切換手段（18）は、前記フィルタ収容室（61）又は前記吸込通路（34）のうち一方に配設されて前記脱臭フィルタ（17）を巻き掛ける駆動ローラ（65）と、他方に配設されて該脱臭フィルタ（17）を巻き掛ける従動ローラ（66）とを備え、
前記駆動ローラ（65）は、前記脱臭フィルタ（17）を、そのフィルタ領域（17a）が前記吸込通路（34）内に配置された使用状態と、該フィルタ領域（17a）が前記フィルタ収容室（61）内に収容された非使用状態とに切り換えるように構成されていることを特徴とする換気装置。
【請求項５】
請求項１乃至４のうち何れか１つにおいて、
活性種を生成するように放電が行われるとともに、生成した活性種を前記脱臭フィルタ（17）に対して供給する放電処理手段（60）を備えたことを特徴とする換気装置。
【発明の詳細な説明】
【技術分野】
【０００１】
本発明は、換気装置に関するものである。
【背景技術】
【０００２】
従来より、室外空気や室内空気を清浄化した後で、その空気を室内へ供給する換気装置が知られている。例えば、特許文献１には、ダスト用フィルタと煙用フィルタとをダンパにより選択的に開閉するとともに、ダスト用フィルタ及び煙用フィルタのそれぞれの下流側に配設された脱臭フィルタにより空気中の臭気成分を除去するようにした空気清浄機が開示されている。
【０００３】
また、特許文献２には、臭気成分を含んだ空気を気化フィルタで加湿して、オゾンにより臭気成分の一部を分解反応させて脱臭するとともに、分解しきれなかった残りの臭気成分を脱臭フィルタで吸着除去するようにした空気清浄装置が開示されている。
【先行技術文献】
【特許文献】
【０００４】
【特許文献１】特開２０００−２６２８２６号公報
【特許文献２】特開２００４−２７５２９０号公報
【発明の概要】
【発明が解決しようとする課題】
【０００５】
しかしながら、従来の換気装置では、脱臭フィルタを通過する空気の圧力損失が増大してしまうという問題があった。具体的に、脱臭フィルタは、空気中の臭気成分を除去するためのフィルタであるためにそのメッシュ幅が非常に細かく、脱臭フィルタを通過する空気の圧力損失が増大しやすくなっている。ここで、脱臭フィルタが空気通路内に常時配設された状態であるため、空気中に臭気成分が含まれていない場合であっても、その空気は必ず脱臭フィルタを通過しなければならず、空気の圧力損失が増大して換気性能が低下してしまうおそれがあった。
【０００６】
本発明は、かかる点に鑑みてなされたものであり、その目的は、空気中の臭気成分を確実に除去するとともに、空気の圧力損失の増大を抑制することにある。
【課題を解決するための手段】
【０００７】
上述した目的を達成するため、本発明は、空気中の臭気成分を検出してその検出結果に基づいて、脱臭フィルタを使用状態と非使用状態とに切り換えるようにした。
【０００８】
具体的に、本発明は、室外の空気を吸込通路（34）を介して室内へ供給するとともに、室内の空気を排気側通路（33）を介して室外へ排出する換気運転を行う換気装置を対象とし、次のような解決手段を講じた。
【０００９】
すなわち、第１の発明は、室外の空気に含まれる臭気成分を検出する検出手段（16）と、
空気中の臭気成分を除去する脱臭フィルタ（17）と、
前記検出手段（16）の検出結果に基づいて、前記脱臭フィルタ（17）を、前記吸込通路（34）を流れる空気中の臭気成分を除去する使用状態と臭気成分を除去しない非使用状態とに切り換える切換手段（18）とを備えたことを特徴とするものである。
【００１０】
第１の発明では、検出手段（16）により室外の空気に含まれる臭気成分が検出される。検出手段（16）により空気中の臭気成分が検出されると、切換手段（18）により脱臭フィルタ（17）が使用状態とされる。そして、空気中の臭気成分が脱臭フィルタ（17）により除去される。一方、検出手段（16）により空気中の臭気成分が検出されない場合には、切換手段（18）により脱臭フィルタ（17）が非使用状態とされる。
【００１１】
このような構成とすれば、空気中の臭気成分を脱臭フィルタ（17）で確実に除去することができるとともに、空気の圧力損失の増大を抑制することができる。具体的に、脱臭フィルタ（17）を吸込通路（34）内に常時配設するようにした場合には、空気中に臭気成分が含まれておらず臭気成分を除去する必要がないときでも、必ず脱臭フィルタ（17）を通過させなければならないため、空気のスムーズな流通を妨げることとなり、空気の圧力損失が増大してしまう。
【００１２】
これに対し、本発明では、検出手段（16）により空中の臭気成分が検出されたときにのみ、脱臭フィルタ（17）を使用状態とするようにしたから、臭気成分を除去する必要がないときには、脱臭フィルタ（17）を非使用状態とすることで、空気を吸込通路（34）内でスムーズに流通させることができ、空気の圧力損失の増大を抑制することができる。
【００１３】
第２の発明は、第１の発明において、
前記切換手段（18）は、前記吸込通路（34）を遮断又は開通させる開閉ダンパ（19）で構成され、
前記開閉ダンパ（19）の羽根部分は、前記脱臭フィルタ（17）で構成されていることを特徴とするものである。
【００１４】
第２の発明では、吸込通路（34）を遮断又は開通させる開閉ダンパ（19）により切換手段（18）が構成される。また、開閉ダンパ（19）の羽根部分が脱臭フィルタ（17）で構成される。このような構成とすれば、検出手段（16）により空気中の臭気成分が検出された場合に、開閉ダンパ（19）により吸込通路（34）を遮断して使用状態とすることで、空気中の臭気成分を開閉ダンパの羽根部分である脱臭フィルタ（17）で除去することができる。また、空気中の臭気成分が検出されない場合には、開閉ダンパ（19）を開いて吸込通路（34）を開通させて非使用状態とすることで、空気を吸込通路（34）内でスムーズに流通させることができ、空気の圧力損失の増大を抑制することができる。
【００１５】
第３の発明は、第１の発明において、
前記吸込通路（34）に隣接されたフィルタ収容室（61）を備え、
前記切換手段（18）は、前記フィルタ収容室（61）内に配設された巻回ローラ（62）で構成され、
前記脱臭フィルタ（17）は、前記巻回ローラ（62）の外周面に巻き付け可能に構成され、
前記巻回ローラ（62）は、前記脱臭フィルタ（17）を、該巻回ローラ（62）の外周面への巻き付けが解除されて前記吸込通路（34）内に配置された使用状態と、該巻回ローラ（62）の外周面に巻き付けられて前記フィルタ収容室（61）内に収容された非使用状態とに切り換えるように構成されていることを特徴とするものである。
【００１６】
第３の発明では、吸込通路（34）に隣接するようにフィルタ収容室（61）が設けられる。フィルタ収容室（61）内に配設された巻回ローラ（62）により切換手段（18）が構成される。脱臭フィルタ（17）は、巻回ローラ（62）の外周面に巻き付け可能に構成される。そして、検出手段（16）により空気中の臭気成分が検出された場合には、脱臭フィルタ（17）は、巻回ローラ（62）の外周面への巻き付けが解除されて吸込通路（34）内に配置された使用状態とされる。一方、検出手段（16）により空気中の臭気成分が検出されない場合には、脱臭フィルタ（17）は、巻回ローラ（62）の外周面に巻き付けられてフィルタ収容室（61）内に収容された非使用状態とされる。
【００１７】
このような構成とすれば、検出手段（16）により空気中の臭気成分が検出された場合には、脱臭フィルタ（17）をフィルタ収容室（61）から引き出して使用状態とすることで、空気中の臭気成分を除去することができる。また、空気中の臭気成分が検出されない場合には、脱臭フィルタ（17）を巻回ローラ（62）で巻き取ってフィルタ収容室（61）に収容して非使用状態とすることで、空気を吸込通路（34）内でスムーズに流通させることができ、空気の圧力損失の増大を抑制することができる。
【００１８】
第４の発明は、第１の発明において、
前記吸込通路（34）に隣接されたフィルタ収容室（61）を備え、
前記脱臭フィルタ（17）は、臭気成分を除去可能なフィルタ領域（17a）と、通過する空気の圧力損失を抑制可能な非フィルタ領域（17b）とを有する無端状のベルトで構成され、
前記切換手段（18）は、前記フィルタ収容室（61）又は前記吸込通路（34）のうち一方に配設されて前記脱臭フィルタ（17）を巻き掛ける駆動ローラ（65）と、他方に配設されて該脱臭フィルタ（17）を巻き掛ける従動ローラ（66）とを備え、
前記駆動ローラ（65）は、前記脱臭フィルタ（17）を、そのフィルタ領域（17a）が前記吸込通路（34）内に配置された使用状態と、該フィルタ領域（17a）が前記フィルタ収容室（61）内に収容された非使用状態とに切り換えるように構成されていることを特徴とするものである。
【００１９】
第４の発明では、吸込通路（34）に隣接するようにフィルタ収容室（61）が設けられる。脱臭フィルタ（17）は無端状のベルトで構成される。この脱臭フィルタ（17）には、臭気成分を除去可能なフィルタ領域（17a）と、通過する空気の圧力損失を抑制可能な非フィルタ領域（17b）とが形成される。フィルタ収容室（61）又は吸込通路（34）のうち一方に配設されて脱臭フィルタ（17）を巻き掛ける駆動ローラ（65）と、他方に配設されて脱臭フィルタ（17）を巻き掛ける従動ローラ（66）とにより、切換手段（18）が構成される。そして、検出手段（16）により空気中の臭気成分が検出された場合には、脱臭フィルタ（17）は、そのフィルタ領域（17a）が吸込通路（34）内に配置された使用状態とされる。一方、検出手段（16）により空気中の臭気成分が検出されない場合には、脱臭フィルタ（17）は、フィルタ領域（17a）がフィルタ収容室（61）内に収容された非使用状態とされる。
【００２０】
このような構成とすれば、検出手段（16）により空気中の臭気成分が検出された場合には、駆動ローラ（65）を回転させて、脱臭フィルタ（17）のフィルタ領域（17a）を吸込通路（34）内に位置付けた使用状態とすることで、空気中の臭気成分を除去することができる。また、空気中の臭気成分が検出されない場合には、駆動ローラ（65）を回転させて、脱臭フィルタ（17）のフィルタ領域（17a）をフィルタ収容室（61）に収容するとともに非フィルタ領域（17b）を吸込通路（34）内に位置付けた非使用状態とすることで、空気を吸込通路（34）内でスムーズに流通させることができ、空気の圧力損失の増大を抑制することができる。
【００２１】
第５の発明は、第１乃至第４の発明うち何れか１つにおいて、
活性種を生成するように放電が行われるとともに、生成した活性種を前記脱臭フィルタ（17）に対して供給する放電処理手段（60）を備えたことを特徴とするものである。
【００２２】
第５の発明では、放電処理手段（60）により放電が行われると、活性種が生成される。この活性種は、脱臭フィルタ（17）に対して供給される。このような構成とすれば、脱臭フィルタ（17）に付着した臭気成分を活性種により分解除去することができ、脱臭フィルタ（17）を再生して寿命時間を向上させることができる。
【発明の効果】
【００２３】
本発明によれば、検出手段（16）により空中の臭気成分が検出されたときにのみ、脱臭フィルタ（17）を使用状態とするようにしたから、空気中の臭気成分を脱臭フィルタ（17）で確実に除去することができるとともに、臭気成分を除去する必要がないときには、脱臭フィルタ（17）を非使用状態とすることで、空気を吸込通路（34）内でスムーズに流通させることができ、空気の圧力損失の増大を抑制することができる。
【図面の簡単な説明】
【００２４】
【図１】本実施形態１に係る調湿装置をケーシングの一部及び電装品箱を省略して示す斜視図である。
【図２】調湿装置の一部を省略して示す概略の平面図、右側面図、及び左側面図である。
【図３】開閉ダンパが閉じた状態を示す左側面図である。
【図４】開閉ダンパが開いた状態を示す左側面図である。
【図５】冷媒回路の構成を示す配管系統図であって、（ａ）は第１動作を示すものであり、（ｂ）は第２動作を示すものである。
【図６】除湿換気運転の第１動作における空気の流れを示す調湿装置の概略の平面図、右側面図、及び左側面図である。
【図７】除湿換気運転の第２動作における空気の流れを示す調湿装置の概略の平面図、右側面図、及び左側面図である。
【図８】加湿換気運転の第１動作における空気の流れを示す調湿装置の概略の平面図、右側面図、及び左側面図である。
【図９】加湿換気運転の第２動作における空気の流れを示す調湿装置の概略の平面図、右側面図、及び左側面図である。
【図１０】単純換気運転における空気の流れを示す調湿装置の概略の平面図、右側面図、及び左側面図である。
【図１１】脱臭フィルタで臭気成分を除去する手順を示すフローチャート図である。
【図１２】開閉ダンパの開閉タイミングを示すグラフ図である。
【図１３】本実施形態２に係る調湿装置における脱臭フィルタの使用状態を示す左側面図である。
【図１４】脱臭フィルタの非使用状態を示す左側面図である。
【図１５】本実施形態３に係る調湿装置における脱臭フィルタの使用状態を示す平面図である。
【図１６】脱臭フィルタの非使用状態を示す平面図である。
【発明を実施するための形態】
【００２５】
以下、本発明の実施形態を図面に基づいて詳細に説明する。
【００２６】
《発明の実施形態１》
図１は、本実施形態１に係る調湿装置をケーシングの一部及び電装品箱を省略して示す斜視図、図２は、調湿装置の一部を省略して示す概略の平面図、右側面図、及び左側面図である。図１及び図２に示すように、この調湿装置（10）は、取り込んだ室外空気（OA）の湿度を調節して室内へ供給するものであり、除湿運転、加湿運転、単純換気運転を選択的に行うことができるように構成され、換気装置としての機能を備えている。なお、以下の説明で用いる「上」「下」「左」「右」「前」「後」「手前」「奥」は、特に断らない限り、調湿装置（10）を前面側から見た場合の方向を示すものとする。
【００２７】
前記調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。この冷媒回路（50）の詳細は後述する。
【００２８】
前記ケーシング（11）は、やや扁平で高さが比較的低い直方体状に形成されている。図１に示すケーシング（11）では、左手前の側面（すなわち、前面）が前面パネル部（12）となり、右奥の側面（すなわち、背面）が背面パネル部（13）となり、右手前の側面が第１側面パネル部（14）となり、左奥の側面が第２側面パネル部（15）となっている。
【００２９】
前記ケーシング（11）には、第１吸込口（24）と、第２吸込口（23）と、給気口（22）と、排気口（21）とが形成されている。第１吸込口（24）及び第２吸込口（23）は、背面パネル部（13）に開口している。第１吸込口（24）は、背面パネル部（13）の下側部分に配置されている。この第１吸込口（24）には、室外の空気に含まれる臭気成分を検出する検出センサ（16）が設けられている。第２吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００３０】
前記ケーシング（11）の内部空間には、上流側仕切板（71）と、下流側仕切板（72）と、中央仕切板（73）と、第１仕切板（74）と、第２仕切板（75）とが設けられている。これらの仕切板は、何れもケーシング（11）の底板から立設されており、ケーシング（11）の内部空間をケーシング（11）の底板から天板に亘って区画している。
【００３１】
前記上流側仕切板（71）及び下流側仕切板（72）は、前面パネル部（12）及び背面パネル部（13）と平行な姿勢で、ケーシング（11）の前後方向に所定の間隔をあけて配置されている。上流側仕切板（71）は、背面パネル部（13）寄りに配置されている。下流側仕切板（72）は、前面パネル部（12）寄りに配置されている。
【００３２】
前記第１仕切板（74）及び第２仕切板（75）は、第１側面パネル部（14）及び第２側面パネル部（15）と平行な姿勢で配置されている。具体的に、第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００３３】
前記中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３４】
前記ケーシング（11）内において、上流側仕切板（71）と背面パネル部（13）の間の空間は、上下２つの空間に仕切られており、下側の空間が第１吸込通路（34）を構成し、上側の空間が第２吸込通路（32）を構成している。第１吸込通路（34）は、第１吸込口（24）と連通し、第２吸込通路（32）は、第２吸込口（23）と連通している。
【００３５】
前記第１吸込通路（34）には、前面パネル部（12）及び背面パネル部（13）と平行な姿勢で通路仕切板（76）が配置されている。この通路仕切板（76）には、概ね横長の長方形状に形成された開閉ダンパ（19）が設けられている。図３に示すように、この開閉ダンパ（19）の羽根部分は、空気中の臭気成分を除去する脱臭フィルタ（17）で構成されている。また、第１吸込通路（34）における通路仕切板（76）と背面パネル部（13）との間には、第１フィルタ（28）及び放電処理装置（60）が設置されている。一方、第２吸込通路（32）には、第２フィルタ（27）が設置されている。
【００３６】
前記開閉ダンパ（19）は、第１吸込通路（34）を遮断又は開通させるための切換手段（18）を構成しており、検出センサ（16）の検出結果に基づいて、その羽根部分である脱臭フィルタ（17）を、第１吸込通路（34）を流れる空気中の臭気成分を除去する使用状態と臭気成分を除去しない非使用状態とに切り換えるように構成されている。
【００３７】
具体的に、前記検出センサ（16）により室外の空気中に臭気成分が検出された場合には、図３に示すように、開閉ダンパ（19）を閉じて第１吸込通路（34）を遮断させた使用状態に切り換える。ここで、開閉ダンパ（19）の羽根部分は脱臭フィルタ（17）で構成されているから、空気中の臭気成分は、脱臭フィルタ（17）を通過する際に除去される。
【００３８】
一方、前記検出センサ（16）により室外の空気中に臭気成分が検出されない場合には、図４に示すように、開閉ダンパ（19）を開いて第１吸込通路（34）を開通させた非使用状態に切り換える。ここで、第１吸込通路（34）を流れる空気は、脱臭フィルタ（17）を通過することなくスムーズに流通するため、空気の圧力損失の増大を抑制することができる。
【００３９】
前記放電処理装置（60）は、放電により活性種を生成するものであり、生成した活性種は、脱臭フィルタ（17）に対して供給される。脱臭フィルタ（17）に吸着された臭気成分は、活性種により分解除去され、脱臭フィルタ（17）が再生される。
【００４０】
図１及び図２に示すように、前記ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００４１】
前記第１吸着熱交換器（51）及び第２吸着熱交換器（52）は、いわゆるクロスフィン型のフィン・アンド・チューブ熱交換器の表面に吸着剤を担持させたものであって、全体として長方形の厚板状又は扁平な直方体状に形成されている。各吸着熱交換器（51,52）は、その前面及び背面が上流側仕切板（71）及び下流側仕切板（72）と平行になる姿勢で、熱交換器室（37,38）内に立設されている。各吸着熱交換器（51,52）は、空気中の水分を吸着する吸着動作と、吸着した水分を空気中へ放出する再生動作（脱着動作）とが行われる吸着部材を構成している。
【００４２】
前記ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００４３】
前記上流側仕切板（71）には、開閉式のダンパが４つ設けられている。各ダンパは、概ね横長の長方形状に形成されている。具体的に、上流側仕切板（71）のうち第２吸込通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち第１吸込通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００４４】
前記下流側仕切板（72）には、開閉式のダンパが４つ設けられている。各ダンパは、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００４５】
前記ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００４６】
前記給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００４７】
前記給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００４８】
前記圧縮機（53）は、圧縮機モータの回転数が可変（すなわち、容量が可変）なインバータ式の圧縮機で構成されている。また、圧縮機（53）は、固定スクロールと可動スクロールとが噛み合わされて、可動スクロールが固定スクロールに対して偏心回転して冷媒を圧縮する、公知のスクロール式の圧縮機で構成されている。
【００４９】
前記ケーシング（11）内において、第１仕切板（74）と第１側面パネル部（14）の間の空間は、第１バイパス通路（81）を構成している。第１バイパス通路（81）の始端は、第１吸込通路（34）だけに連通しており、第２吸込通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００５０】
前記ケーシング（11）内において、第２仕切板（75）と第２側面パネル部（15）の間の空間は、第２バイパス通路（82）を構成している。第２バイパス通路（82）の始端は、第２吸込通路（32）だけに連通しており、第１吸込通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００５１】
なお、図２の右側面図及び左側面図では、第１バイパス通路（81）、第２バイパス通路（82）、第１バイパス用ダンパ（83）、及び第２バイパス用ダンパ（84）の図示を省略している。
【００５２】
〈冷媒回路の構成〉
図５に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００５３】
前記冷媒回路（50）において、圧縮機（53）は、その吐出側が四方切換弁（54）の第１ポートに、その吸入側が四方切換弁（54）の第２ポートにそれぞれ接続されている。また、冷媒回路（50）では、第１吸着熱交換器（51）と電動膨張弁（55）と第２吸着熱交換器（52）とが、四方切換弁（54）の第３ポートから第４ポートへ向かって順に接続されている。
【００５４】
前記四方切換弁（54）は、第１ポートと第３ポートが連通して第２ポートと第４ポートが連通する第１状態（図５（ａ）に示す状態）と、第１ポートと第４ポートが連通して第２ポートと第３ポートが連通する第２状態（図５（ｂ）に示す状態）とに切り換え可能となっている。このような四方切換弁（54）の設定の切り換えに応じて、冷媒回路（50）での冷媒の循環方向が反転する。そして、冷媒回路（50）では、四方切換弁（54）の切り換えに応じて、第１吸着熱交換器（51）を高圧冷媒が流れて第２吸着熱交換器（52）を低圧冷媒が流れる動作と、第１吸着熱交換器（51）を低圧冷媒が流れて第２吸着熱交換器（52）を高圧冷媒が流れる動作とが交互に行われる。
【００５５】
−運転動作−
前記調湿装置（10）の運転動作について説明する。この調湿装置（10）では、除湿運転、加湿運転、単純換気運転を選択的に行う。
【００５６】
〈除湿運転〉
本実施形態の除湿運転は、室外空気（OA）を除湿し、除湿後の空気を供給空気（SA）として室内へ供給すると同時に、室内空気（RA）を排出空気（EA）として室外へ排出する。すなわち、除湿運転では、室内の除湿と室内の換気とが同時に行われる。
【００５７】
除湿運転では、給気ファン（26）及び排気ファン（25）が運転状態となる。また、除湿運転では、複数のダンパの開閉状態が切り換わることで、後述する第１動作と第２動作とが交互に繰り返される。なお、第１動作と第２動作とは、所定の設定時間（例えば３分間）置きに切り換えられる。また、除湿運転において、第１バイパス用ダンパ（83）及び第２バイパス用ダンパ（84）は、常に閉状態となる。
【００５８】
前記給気ファン（26）が運転されると、室外空気（OA）が調湿装置（10）の第１吸込口（24）へ流入する。一方、排気ファン（25）が運転されると、室内空気（RA）が調湿装置（10）の第２吸込口（23）へ流入する。
【００５９】
除湿運転の第１動作では、図６に示すように、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（50）では、四方切換弁（54）が第１状態（図５（ａ）に示す状態）に設定され、第１吸着熱交換器（51）が凝縮器となって第２吸着熱交換器（52）が蒸発器となる。その結果、第１吸着熱交換器（51）では、吸着した水分を空気中へ放出する再生動作が行われ、第２吸着熱交換器（52）では、空気中の水分を吸着する吸着動作が行われる。
【００６０】
除湿運転の第１動作では、第１吸込口（24）へ流入した室外空気（OA）が、第２熱交換器室（38）へ流入し、蒸発器側の第２吸着熱交換器（52）を通過する。第２吸着熱交換器（52）では、空気中の水分が吸着剤に吸着され、その際に生じた吸着熱が冷媒に吸熱される。第２吸着熱交換器（52）で除湿された空気は、給気口（22）から調湿装置（10）の外部へ流出して室内へ供給される。
【００６１】
また、第２吸込口（23）へ流入した室内空気（RA）は、第１熱交換器室（37）へ流入し、凝縮器側の第１吸着熱交換器（51）を通過する。第１吸着熱交換器（51）では、冷媒で加熱された吸着剤から水分が脱離し、この脱離した水分が空気に付与される。第１吸着熱交換器（51）で水分を付与された空気は、排気口（21）から調湿装置（10）の外部へ流出して室外へ排出される。
【００６２】
除湿運転の第２動作では、図７に示すように、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（50）では、四方切換弁（54）が第２状態（図５（ｂ）に示す状態）に設定され、第１吸着熱交換器（51）が蒸発器（吸着動作側）となって第２吸着熱交換器（52）が凝縮器（再生動作側）となる。
【００６３】
第２動作では、第１吸込口（24）へ流入した室外空気（OA）が、第１熱交換器室（37）へ流入し、蒸発器側の第１吸着熱交換器（51）を通過する。第１吸着熱交換器（51）では、空気中の水分が吸着剤に吸着され、その際に生じた吸着熱が冷媒に吸熱される。第１吸着熱交換器（51）で除湿された空気は、給気口（22）から調湿装置（10）の外部へ流出して室内へ供給される。
【００６４】
また、第２吸込口（23）へ流入した室内空気（RA）は、第２熱交換器室（38）へ流入し、凝縮器側の第２吸着熱交換器（52）を通過する。第２吸着熱交換器（52）では、冷媒で加熱された吸着剤から水分が脱離し、この脱離した水分が空気に付与される。第２吸着熱交換器（52）で水分を付与された空気は、排気口（21）から調湿装置（10）の外部へ流出して室外へ排出される。
【００６５】
〈加湿運転〉
本実施形態の加湿運転は、室外空気（OA）を加湿し、加湿後の空気を供給空気（SA）として室内へ供給すると同時に、室内空気（RA）を排出空気（EA）として室外へ排出する。すなわち、加湿運転では、室内の加湿と室内の換気とが同時に行われる。
【００６６】
加湿運転では、給気ファン（26）及び排気ファン（25）が運転状態となる。また、加湿運転では、複数のダンパの開閉状態が切り換わることで、後述する第１動作と第２動作とが交互に繰り返される。なお、第１動作と第２動作とは、所定の設定時間（例えば４分間）置きに切り換えられる。また、加湿運転において、第１バイパス用ダンパ（83）及び第２バイパス用ダンパ（84）は、常に閉状態となる。
【００６７】
図５に示すように、給気ファン（26）が運転されると、室外空気（OA）が調湿装置（10）の第１吸込口（24）へ流入する。一方、排気ファン（25）が運転されると、室内空気（RA）が調湿装置（10）の第２吸込口（23）へ流入する。
【００６８】
加湿運転の第１動作では、図８に示すように、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（50）では、四方切換弁（54）が第１状態（図５（ａ）に示す状態）に設定され、第１吸着熱交換器（51）が凝縮器（再生動作側）となって第２吸着熱交換器（52）が蒸発器（吸着動作側）となる。
【００６９】
加湿運転の第１動作では、第２吸込口（23）へ流入した室内空気（RA）が、第２熱交換器室（38）へ流入し、蒸発器側の第２吸着熱交換器（52）を通過する。第２吸着熱交換器（52）では、空気中の水分が吸着剤に吸着され、その際に生じた吸着熱が冷媒に吸熱される。第２吸着熱交換器（52）の吸着剤へ水分を付与した空気は、排気口（21）から調湿装置（10）の外部へ流出して室外へ排出される。
【００７０】
また、第１吸込口（24）へ流入した室外空気（OA）は、第１熱交換器室（37）へ流入し、凝縮器側の第１吸着熱交換器（51）を通過する。第１吸着熱交換器（51）では、冷媒で加熱された吸着剤から水分が脱離し、この脱離した水分が空気に付与される。第１吸着熱交換器（51）で加湿された空気は、給気口（22）から調湿装置（10）の外部へ流出して室内へ供給される。
【００７１】
加湿運転の第２動作では、図９に示すように、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（50）では、四方切換弁（54）が第２状態（図５（ｂ）に示す状態）に設定され、第１吸着熱交換器（51）が蒸発器（吸着動作側）となって第２吸着熱交換器（52）が凝縮器（再生動作側）となる。
【００７２】
加湿運転の第２動作では、第２吸込口（23）へ流入した室内空気（RA）が、第１熱交換器室（37）へ流入し、蒸発器側の第１吸着熱交換器（51）を通過する。第１吸着熱交換器（51）では、空気中の水分が吸着剤に吸着され、その際に生じた吸着熱が冷媒に吸熱される。第１吸着熱交換器（51）の吸着剤へ水分を付与した空気は、排気口（21）から調湿装置（10）の外部へ流出して室外へ排出される。
【００７３】
また、第１吸込口（24）へ流入した室外空気（OA）は、第２熱交換器室（38）へ流入し、凝縮器側の第２吸着熱交換器（52）を通過する。第２吸着熱交換器（52）では、冷媒で加熱された吸着剤から水分が脱離し、この脱離した水分が空気に付与される。第２吸着熱交換器（52）で加湿された空気は、給気口（22）から調湿装置（10）の外部へ流出して室内へ供給される。
【００７４】
〈単純換気運転〉
本実施形態の単純換気運転は、室外空気（OA）をそのまま供給空気（SA）として室内へ供給すると同時に、室内空気（RA）を排出空気（EA）として室外へ排出する。すなわち、単純換気運転では、室内の調湿は行われず、室内の換気だけが行われる。
【００７５】
単純換気運転では、図１０に示すように、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。
【００７６】
単純換気運転では、室外空気（OA）が調湿装置（10）の第１吸込口（24）へ流入する。この空気は、第１バイパス通路（81）から第１バイパス用ダンパ（83）を通って給気ファン室（36）へ流入し、その後に給気口（22）を経由して室内へ供給される。
【００７７】
同時に、室内空気（RA）が調湿装置（10）の第２吸込口（23）へ流入する。この空気は、第２バイパス通路（82）から第２バイパス用ダンパ（84）を通って排気ファン室（35）へ流入し、その後に排気口（21）を経由して室外へ排出される。
【００７８】
〈臭気成分除去動作〉
図１１は、脱臭フィルタで臭気成分を除去する手順を示すフローチャート図、図１２は、図１２は、開閉ダンパの開閉タイミングを示すグラフ図である。図１１に示すように、まず、ステップＳ１０１では、開閉ダンパ（19）を開いて脱臭フィルタ（17）を非使用状態とし、続くステップＳ１０２に進む。
【００７９】
ステップＳ１０２では、検出センサ（16）の検出値が所定値以上、すなわち、警戒臭気強度以上（図１２参照）であるかを判定する。ステップＳ１０２での判定が「ＹＥＳ」の場合には、空気中に臭気成分が含まれていると判断して、ステップＳ１０３に分岐する。ステップＳ１０２での判定が「ＮＯ」の場合には、空気中に臭気成分が含まれていないと判断して、ステップＳ１０２の判定を繰り返す。
【００８０】
ステップＳ１０３では、開閉ダンパ（19）を閉じて脱臭フィルタ（17）を使用状態とし、脱臭フィルタ（17）により空気中の臭気成分を除去して、続くステップＳ１０４に進む。
【００８１】
ステップＳ１０４では、検出センサ（16）の検出値が所定値以下、すなわち、人が感知可能な臭気強度以下（図１２参照）であるかを判定する。ステップＳ１０４での判定が「ＹＥＳ」の場合には、空気中の臭気成分の除去が完了したと判断して、ステップＳ１０５に分岐する。ステップＳ１０４での判定が「ＮＯ」の場合には、空気中の臭気成分の除去が完了していないと判断して、ステップＳ１０４の判定を繰り返す。
【００８２】
ステップＳ１０５では、開閉ダンパ（19）を開いて脱臭フィルタ（17）を非使用状態とし、続くステップＳ１０６に進む。
【００８３】
ステップＳ１０６では、放電処理装置（60）で生成された活性種を脱臭フィルタ（17）に供給することにより、脱臭フィルタ（17）を再生する。この脱臭フィルタ（17）の再生は、例えば、供給空気（SA）の臭気強度が所定値以下になるまで行い、処理を終了する。
【００８４】
以上のように、本実施形態１に係る調湿装置（10）によれば、検出センサ（16）により空中の臭気成分が検出されたときにのみ、開閉ダンパ（19）を閉じて脱臭フィルタ（17）を使用状態とするようにしたから、空気中の臭気成分を脱臭フィルタ（17）で確実に除去することができるとともに、臭気成分を除去する必要がないときには、開閉ダンパ（19）を開いて脱臭フィルタ（17）を非使用状態とすることで、空気を吸込通路（34）内でスムーズに流通させることができ、空気の圧力損失の増大を抑制することができる。
【００８５】
なお、本実施形態１では、放電処理装置（60）で生成した活性種を脱臭フィルタ（17）に供給することで、脱臭フィルタ（17）を再生するようにしたが、この形態に限定するものではなく、例えば、脱臭フィルタ（17）にヒータを設けておき、ヒータの発熱によって脱臭フィルタ（17）を再生するようにしても良い。
【００８６】
《発明の実施形態２》
図１３は、本実施形態２に係る調湿装置における脱臭フィルタの使用状態を示す左側面図、図１４は、脱臭フィルタの非使用状態を示す左側面図である。前記実施形態１との違いは、脱臭フィルタ（17）を使用位置と非使用位置とに切り換える切換手段（18）として巻回ローラ（62）を用いるようにした点であるため、以下、実施形態１と同じ部分については同じ符号を付し、相違点についてのみ説明する。
【００８７】
図１３に示すように、前記ケーシング（11）における第１吸込通路（34）に隣接する位置には、フィルタ収容室（61）が設けられている。このフィルタ収容室（61）と第１吸込通路（34）とは、連通口を介して連通している。
【００８８】
前記フィルタ収容室（61）内には、左右方向（図１３では紙面と直行する方向）に延びる巻回ローラ（62）と、放電処理装置（60）とが配設されている。巻回ローラ（62）の外周面には、シート状の脱臭フィルタ（17）が巻き付けられている。
【００８９】
前記巻回ローラ（62）は、脱臭フィルタ（17）を第１吸込通路（34）内に配置する使用状態と、脱臭フィルタ（17）をフィルタ収容室（61）に収容する非使用状態とに切り換える切換手段（18）を構成している。
【００９０】
具体的に、前記検出センサ（16）により室外の空気中に臭気成分が検出された場合には、図１３に示すように、巻回ローラ（62）を時計回りに回転させることで、脱臭フィルタ（17）の先端部をフィルタ収容室（61）から送り出して第１吸込通路（34）内に配置させた使用状態に切り換える。これにより、空気中の臭気成分は、脱臭フィルタ（17）を通過する際に除去される。
【００９１】
一方、前記検出センサ（16）により室外の空気中に臭気成分が検出されない場合には、図１４に示すように、巻回ローラ（62）を反時計回りに回転させることで、脱臭フィルタ（17）を巻き取ってフィルタ収容室（61）に収容させた非使用状態に切り換える。これにより、第１吸込通路（34）を流れる空気は、脱臭フィルタ（17）を通過することなくスムーズに流通するため、空気の圧力損失の増大を抑制することができる。
【００９２】
そして、前記フィルタ収容室（61）に収容された脱臭フィルタ（17）に対して、放電処理装置（60）で生成した活性種を供給することで、脱臭フィルタ（17）に付着した臭気成分を活性種により分解除去して、脱臭フィルタ（17）を再生することができる。
【００９３】
《発明の実施形態３》
図１５は、本実施形態３に係る調湿装置における脱臭フィルタの使用状態を示す平面図、図１６は、脱臭フィルタの非使用状態を示す平面図である。前記実施形態１との違いは、脱臭フィルタ（17）を使用位置と非使用位置とに切り換える切換手段（18）として駆動ローラ（65）及び従動ローラ（66）を用いるようにした点であるため、以下、実施形態１と同じ部分については同じ符号を付し、相違点についてのみ説明する。
【００９４】
図１５に示すように、前記ケーシング（11）における第１吸込通路（34）に隣接する位置には、フィルタ収容室（61）が設けられている。このフィルタ収容室（61）と第１吸込通路（34）とは、連通口を介して連通している。
【００９５】
前記フィルタ収容室（61）内には、上下方向（図１５では紙面と直行する方向）に延びる駆動ローラ（65）及び従動ローラ（66）と、放電処理装置（60）とが配設されている。フィルタ収容室（61）内には、４つの従動ローラ（66）が配設されている。また、第１吸込通路（34）内の右側端部には、２つの従動ローラ（66）が配設されている。駆動ローラ（65）及び複数の従動ローラ（66）には、無端状のベルトで構成された脱臭フィルタ（17）が巻き掛けられている。
【００９６】
前記脱臭フィルタ（17）には、臭気成分を除去可能なフィルタ領域（17a）と、臭気成分を除去しない非フィルタ領域（17b）とが形成されている。図１５では、フィルタ領域（17a）を実線で示し、非フィルタ領域（17b）を点線で示している。具体的に、非フィルタ領域（17b）は、フィルタ領域（17a）よりも粗いメッシュ幅で形成されており、非フィルタ領域（17b）を空気がスムーズに通過できるようになっている。これにより、非フィルタ領域（17b）を通過する空気の圧力損失の増大を抑制することができる。
【００９７】
前記駆動ローラ（65）及び従動ローラ（66）は、脱臭フィルタ（17）のフィルタ領域（17a）を第１吸込通路（34）内に配置する使用状態と、脱臭フィルタ（17）のフィルタ領域（17b）をフィルタ収容室（61）に収容する非使用状態とに切り換える切換手段（18）を構成している。
【００９８】
具体的に、前記検出センサ（16）により室外の空気中に臭気成分が検出された場合には、図１５に示すように、駆動ローラ（65）を回転させることで、脱臭フィルタ（17）のフィルタ領域（17a）を第１吸込通路（34）内に配置させた使用状態に切り換える。これにより、これにより、空気中の臭気成分は、脱臭フィルタ（17）を通過する際に除去される。
【００９９】
一方、前記検出センサ（16）により室外の空気中に臭気成分が検出されない場合には、図１６に示すように、駆動ローラ（65）を回転させることで、脱臭フィルタ（17）のフィルタ領域（17a）をフィルタ収容室（61）に収容させるとともに非フィルタ領域（17b）を吸込通路（34）内に配置させた非使用状態に切り換える。これにより、第１吸込通路（34）を流れる空気は、脱臭フィルタ（17）の非フィルタ領域（17b）をスムーズに流通するため、空気の圧力損失の増大を抑制することができる。
【０１００】
そして、前記フィルタ収容室（61）に収容された脱臭フィルタ（17）のフィルタ領域（17a）に対して、放電処理装置（60）で生成した活性種を供給することで、脱臭フィルタ（17）のフィルタ領域（17a）に付着した臭気成分を活性種により分解除去して、脱臭フィルタ（17）を再生することができる。
【０１０１】
なお、本実施形態３では、駆動ローラ（65）をフィルタ収容室（61）内に配設した構成について説明したが、この形態に限定するものではなく、第１吸込通路（34）内に駆動ローラ（65）を配設するようにしても良い。
【０１０２】
なお、以上の実施形態は、本質的に好ましい例示であって、本発明、その適用物、あるいはその用途の範囲を制限することを意図するものではない。
【産業上の利用可能性】
【０１０３】
以上説明したように、本発明は、空気中の臭気成分を確実に除去するとともに、空気の圧力損失の増大を抑制することができるという実用性の高い効果が得られることから、きわめて有用で産業上の利用可能性は高い。
【符号の説明】
【０１０４】
10    調湿装置（換気装置）
16    検出センサ（検出手段）
17    脱臭フィルタ
17a   フィルタ領域
17b   非フィルタ領域
18    切換手段
19    開閉ダンパ
33    排気側通路
34    第１吸込通路
60    放電処理装置（放電処理手段）
61    フィルタ収容室
62    巻回ローラ
65    駆動ローラ
66    従動ローラ
【図１】
2011002148.tif 000003
【図２】
2011002148.tif 000004
【図３】
2011002148.tif 000005
【図４】
2011002148.tif 000006
【図５】
2011002148.tif 000007
【図６】
2011002148.tif 000008
【図７】
2011002148.tif 000009
【図８】
2011002148.tif 000010
【図９】
2011002148.tif 000011
【図１０】
2011002148.tif 000012
【図１１】
2011002148.tif 000013
【図１２】
2011002148.tif 000014
【図１３】
2011002148.tif 000015
【図１４】
2011002148.tif 000016
【図１５】
2011002148.tif 000017
【図１６】
2011002148.tif 000018